(57)【特許請求の範囲】
【請求項１】
軸体に外嵌されて支持された感光ドラムと、この感光ドラムの外周面に接近または接触したセット状態と上記外周面から離れたリリース状態とに変更可能に設けられた感光ドラム用の周辺装置と、上記感光ドラムの一側方に配置されたカバー体とを具備しており、かつ上記カバー体が上記感光ドラムの一側方から取り去られることによってその一側方が開放されたときには上記感光ドラムの上記軸体からの抜き外しと上記軸体への外嵌との脱着が行えるように構成されている、電子写真装置であって、
上記周辺装置がリリース状態のときには上記カバー体を上記感光ドラムの一側方から取り去り可能とするとともに、上記周辺装置がセット状態のときには上記カバー体を上記感光ドラムの一側方から取り去ることが阻止されるように上記カバー体の移動を規制するカバー体用規制手段を備えており、かつ上記カバー体が上記感光ドラムの一側方に配置されているときには上記周辺装置をセット状態とリリース状態とに変更可能とする一方、上記カバー体が上記感光ドラムの一側方に配置されていないときには上記周辺装置をリリース状態にロックしてセット状態への変更を規制する周辺装置用の規制手段を具備していることを特徴とする、電子写真装置。
【請求項２】
上記カバー体を上記感光ドラムの一側方へ配置できるように上記カバー体を固定保持可能なカバー体取付部と、
上記カバー体が上記カバー体取付部に固定保持されたカバー体のセット状態とその固定保持状態が解除されたカバー体のリリース状態とにそれぞれ切換え設定可能に設けられたカバー体用操作レバーと、
を具備している、請求項１に記載の電子写真装置。
【請求項３】
上記周辺装置は、現像器であるとともに、この現像器をそのセット状態とリリース状態とに変更するための現像器用操作レバーを具備しており、かつ、
上記周辺装置用の規制手段は、上記カバー体用操作レバーによって上記カバー体のリリース状態が設定されたときに上記現像器用操作レバーの動作を規制する機構である、請求項２に記載の電子写真装置。
【請求項４】
上記周辺装置は、上記感光ドラムの外周面にクリーニングブレードを接触させたセット状態と上記感光ドラムの外周面からクリーニングブレードを離反させたリリース状態とに設定可能なクリーニング装置であるとともに、このクリーニング装置をそのセット状態とリリース状態とに変更するためのクリーニング装置用操作レバーを具備しており、かつ、
上記周辺装置用の規制手段は、上記カバー体用操作レバーによって上記カバー体のリリース状態が設定されたときに上記クリーニング装置用操作レバーの動作を規制する機構である、請求項２に記載の電子写真装置。
【請求項５】
上記周辺装置は、露光装置であるとともに、この露光装置は上記感光ドラムの外周面への接近と離反とを行う方向に回動可能に支持されており、かつ、
上記周辺装置用の規制手段は、上記カバー体が上記カバー体取付部に取付けられているときには上記露光装置の回動動作を許容するとともに、上記カバー体が上記カバー体取付部に取付けられていないときには上記露光装置が上記感光ドラムの外周面に一定距離以上接近するように回転することを阻止するストッパである、請求項２に記載の電子写真装置。
【請求項６】
上記周辺装置は、記録紙搬送装置であるとともに、この記録紙搬送装置は上記感光ドラムの外周面への接近と離反とを行う方向に回動可能に支持されており、かつ、
上記規制手段は、上記カバー体用操作レバーの操作によって上記カバー体のセット状態が設定されているときには上記記録紙搬送装置の回動動作を許容するとともに、上記カバー体用操作レバーの操作によって上記カバー体のリリース状態が設定されているときには上記記録紙搬送装置の回動動作を規制する機構である、請求項２に記載の電子写真装置。
【発明の詳細な説明】
【０００１】
【発明の属する技術分野】
本願発明は、所望の画像を普通紙などの記録紙に印刷するのに用いられる電子写真装置、さらに詳しくは感光ドラムを備えた構造の電子写真装置に関する。
【０００２】
【従来の技術】
周知のとおり、電子写真装置は、たとえば図３４に示すように、感光ドラム１ｅの周囲に複数の周辺装置を設けた構成とされている。本願明細書でいう周辺装置とは、感光ドラムの周囲に設けられて、電子写真プロセスに必要な処理を感光ドラムに施す装置、または電子写真プロセスに必要な処理を感光ドラムと協働して行う装置を意味する。上記複数の周辺装置としては、帯電器８ｅ、露光装置３ｅ、現像器４ｅ、記録紙搬送装置５ｅ、およびクリーニング装置６ｅがある。帯電器８ｅは感光ドラム１ｅの外周面を帯電させて感光性を与える。露光装置３ｅは、感光ドラム１ｅの表面を光像で露光し、静電潜像をつくる。現像器４ｅは、上記静電潜像をトナーで現像する。記録紙搬送装置５ｅは、用紙ホッパ９９から供給されてくる記録紙９８を感光ドラム１ｅの外周面に接触させて記録紙９８上にトナー像を転写させる。クリーニング装置６ｅは、感光ドラム１ｅの外周面をクリーニングし、これにより感光ドラム１ｅは繰り返し使用される。記録紙９８のトナー像は、その後定着器９７によって加熱されて定着されてから、ストッカ９６内に移送され、または排紙口から外部に排出される。
【０００３】
感光ドラム１ｅは、略一定回数にわたって繰り返し使用されるとその感光性などの性能が低下する。このため、感光ドラム１ｅは、定期または不定期に他の新たな感光ドラムと交換する必要がある。とくに、近年においてはプリンタの印刷速度の高速化、ならびに感光ドラムの低コスト化の要求が強いために、比較的短い周期で感光ドラムを頻繁に交換する必要が生じている。
【０００４】
そこで、従来では、感光ドラム１ｅの回転駆動軸としての役割を果たす軸体２ｅに感光ドラム１ｅを着脱可能に装着する手段を採用している。この従来の手段は、たとえば図３５に示すように、シャシ９ｅに取付けられたカバー体７ｅが有する軸受部材８０ｅによって軸体２ｅの一端部２ｆを支持させる一方、この軸体２ｅの他端部２ｇを固定部材９ｆに保持された軸受部材８１ｅによって支持させる手段である。また、軸体２ｅの一端部２ｆには、感光ドラム１ｅの抜け止めを図るためのナット９５を螺合させている。この手段では、図３６に示すように、カバー体７ｅをシャシ９ｅから取り外して軸体２ｅを軸受部材８１ｅのみによって片もち状に支持させてからナット９５を軸体２ｅから取り外すと、感光ドラム１ｅの軸体２ｅからの抜き外し作業と外嵌作業との脱着作業が軸体２ｅの一端部２ｆから行うことができ、感光ドラム１ｅの交換作業が行えることとなる。
【０００５】
一方、上記のような軸体２ｅへの感光ドラム１ｅの脱着作業を行うときには、その感光ドラム１ｅの外周面がその周囲に設けられている周辺装置と接触しないように最大限度の注意を払う必要がある。これらが接触したのでは、感光ドラム１ｅの外周面または周辺装置が傷つき、適切な画像作成処理が行えなくなるからである。
【０００６】
そこで、従来では、現像器４ｅ、クリーニング装置６ｅ、露光装置３ｅ、および記録紙搬送装置５ｅなどの周辺装置については、感光ドラム１ｅの外周面に接近または接触したセット状態とその外周面から離れたリリース状態とに設定変更できるようにしている。このようにすれば、感光ドラム１ｅの交換時に各周辺装置をリリース状態にすることによって、感光ドラム１ｅと各周辺装置とが接触する虞れを少なくすることができる。
【０００７】
また、従来では、図３７に示すように、軸体２ｅへの感光ドラム１ｅの脱着作業を行うときに案内棒８９ｅを用いる手段もある。この手段は、軸体２ｅへの感光ドラム１ｅの脱着作業を行うときに、案内棒８９ｅを軸体２ｅの一端部２ｆに連結させておき、軸体２ｅから感光ドラム１ｅを抜き外すときにはその感光ドラム１ｅをこの案内棒８９ｅに外嵌させてゆく手段である。また、軸体２ｅに感光ドラム１ｅを外嵌装着するときには、案内棒８９ｅに感光ドラム１ｅを予め外嵌させておいてからその感光ドラム１ｅを軸体２ｅに向けてスライド移動させる。このような手段を採用すれば、感光ドラム１ｅの脱着時においてこの感光ドラム１ｅがその半径方向に大きく振れるようなことを防止することができ、感光ドラム１ｅと周辺装置との不当な接触をより確実に防止することが可能となる。
【０００８】
【発明が解決しようとする課題】
しかしながら、従来においては、ユーザの不注意などに原因して、各周辺装置をリリース状態に変更させることなく、各周辺装置を感光ドラム１ｅの外周面に接近または接触させたセット状態のままで感光ドラム１ｅを軸体２ｅから抜き外す作業を行ったり、あるいは軸体２ｅに感光ドラム１ｅを外嵌装着させる作業を行ってしまう虞れがあった。これでは、感光ドラム１ｅと周辺装置との接触に原因し、これらが損傷する虞れがある。
【０００９】
本願発明は、このような事情のもとで考え出されたものであって、電子写真装置の感光ドラムを交換するときにユーザの不注意などに原因して感光ドラムとその周辺装置とが不当に接触する虞れを無くしまたは少なくし、感光ドラムや周辺装置の適切な保護が図れるようにすることをその課題としている。
【００１０】
【発明の開示】
上記の課題を解決するため、本願発明では、次の技術的手段を講じている。
【００１１】
本願発明によって提供される電子写真装置は、軸体に外嵌されて支持された感光ドラムと、この感光ドラムの外周面に接近または接触したセット状態と上記外周面から離れたリリース状態とに変更可能に設けられた感光ドラム用の周辺装置と、上記感光ドラムの一側方に配置されたカバー体とを具備しており、かつ上記カバー体が上記感光ドラムの一側方から取り去られることによってその一側方が開放されたときには上記感光ドラムの上記軸体からの抜き外しと上記軸体への外嵌との脱着が行えるように構成されている、電子写真装置であって、上記周辺装置がリリース状態のときには上記カバー体を上記感光ドラムの一側方から取り去り可能とするとともに、上記周辺装置がセット状態のときには上記カバー体を上記感光ドラムの一側方から取り去ることが阻止されるように上記カバー体の移動を規制するカバー体用規制手段を備えており、かつ上記カバー体が上記感光ドラムの一側方に配置されているときには上記周辺装置をセット状態とリリース状態とに変更可能とする一方、上記カバー体が上記感光ドラムの一側方に配置されていないときには上記周辺装置をリリース状態にロックしてセット状態への変更を規制する周辺装置用の規制手段を具備していることに特徴づけられる。
【００１２】
このような構成の電子写真装置によれば、周辺装置がリリース状態に設定されて、感光ドラムの外周面から離れているときには、カバー体を感光ドラムの一側方から取り去ってから感光ドラムを軸体から抜き外すことができる。その一方、周辺装置がセット状態に設定されて、感光ドラムの外周面に接近または接触しているときには、感光ドラムの一側方に配置させているカバー体の移動がカバー体用規制手段によって規制されるために、このカバー体を感光ドラムの一側方から取り去ることが困難となり、その結果感光ドラムについてもその取外しが困難となる。したがって、本願発明では、感光ドラムを軸体から取り外すときには周辺装置を必ずリリース状態に設定しなければならないこととなり、従来とは異なり、周辺装置をセット状態に設定したままユーザが不用意に感光ドラムの脱着作業を行うことを回避できる。その結果、周辺装置と感光ドラムとの不当な接触によってこれらが損傷するといった不具合を解消することができる。
【００２０】
また、このような構成によれば、周辺装置をリリース状態に設定した後にカバー体を感光ドラムの一側方から取り去り、さらに感光ドラムを軸体から抜き外した状態にすると、周辺装置用の規制手段によって上記周辺装置の設定モードがリリース状態にロックされることとなる。したがって、その後感光ドラムを軸体に外嵌する作業を行うときに、ユーザが誤って上記周辺装置をセット状態に設定してから感光ドラムを軸体に外嵌するといったことを適切に防止することが可能となる。したがって、軸体から感光ドラムを抜き外すときに限らず、軸体に感光ドラムを外嵌装着するときにも周辺装置を適切にリリース状態に設定しておくことができ、感光ドラムと周辺装置との不当な接触をより確実に防止することができるという利点が得られる。
【００２１】
他の好ましい実施の形態では、上記カバー体を上記感光ドラムの一側方へ配置できるように上記カバー体を固定保持可能なカバー体取付部と、上記カバー体が上記カバー体取付部に固定保持されたカバー体のセット状態とその固定保持状態が解除されたカバー体のリリース状態とにそれぞれ切換え設定可能に設けられたカバー体用操作レバーと、を具備している構成とすることができる。
【００２２】
他の好ましい実施の形態では、上記周辺装置は、現像器であるとともに、この現像器をそのセット状態とリリース状態とに変更するための現像器用操作レバーを具備しており、かつ、上記周辺装置用の規制手段は、上記カバー体用操作レバーによって上記カバー体のリリース状態が設定されたときに上記現像器用操作レバーの動作を規制する機構である構成とすることができる。
【００２３】
他の好ましい実施の形態では、上記周辺装置は、上記感光ドラムの外周面にクリーニングブレードを接触させたセット状態と上記感光ドラムの外周面からクリーニングブレードを離反させたリリース状態とに設定可能なクリーニング装置であるとともに、このクリーニング装置をそのセット状態とリリース状態とに変更するためのクリーニング装置用操作レバーを具備しており、かつ、上記周辺装置用の規制手段は、上記カバー体用操作レバーによって上記カバー体のリリース状態が設定されたときに上記クリーニング装置用操作レバーの動作を規制する機構である構成とすることができる。
【００２４】
他の好ましい実施の形態では、上記周辺装置は、露光装置であるとともに、この露光装置は上記感光ドラムの外周面への接近と離反とを行う方向に回動可能に支持されており、かつ上記周辺機器用の規制手段は、上記カバー体が上記カバー体取付部に取付けられているときには上記露光装置の回動動作を許容するとともに、上記カバー体が上記カバー体取付部に取付けられていないときには上記露光装置が上記感光ドラムの外周面に一定距離以上接近するように回転することを阻止するストッパである構成とすることができる。
【００２５】
他の好ましい実施の形態では、上記周辺装置は、記録紙搬送装置であるとともに、この記録紙搬送装置は上記感光ドラムの外周面への接近と離反とを行う方向に回動可能に支持されており、かつ上記規制手段は、上記カバー体用操作レバーの操作によって上記カバー体のセット状態が設定されているときには上記記録紙搬送装置の回動動作を許容するとともに、上記カバー体用操作レバーの操作によって上記カバー体のリリース状態が設定されているときには上記記録紙搬送装置の回動動作を規制する機構である構成とすることができる。
【００２６】
本願発明のその他の特徴および利点は、図面を参照して以下に行う発明の実施の形態の説明から、より明らかになるであろう。
【００２７】
【発明の実施の形態】
以下、本願発明の好ましい実施の形態について、図面を参照しつつ具体的に説明する。
【００２８】
図１は、本願発明に係る電子写真装置の一例を示す概略正面図である。図２は、図１のＸ１−Ｘ１断面図である。
【００２９】
図１において、この電子写真装置Ａは、感光ドラム１、軸体２、感光ドラム１の周辺装置としての帯電器８、露光装置３、現像器４、記録紙搬送装置５ならびにクリーニング装置６、およびカバー体７を具備して構成されている。むろん、これらの装置や機器類の全体は、この電子写真装置Ａの筐体（図示略）によって覆われている。この電子写真装置Ａには、所望の装置や機器類を取付けるための固定部材としての複数のシャシ９も設けられている。
【００３０】
図２によく表れているように、感光ドラム１は、略円筒状であり、その中心部には軸体２と嵌合可能な孔部１０がその軸長方向に貫通して設けられている。この感光ドラム１は、孔部１０に軸体２が貫通挿するようにして軸体２に外嵌装着されている。むろん、この感光ドラム１の外周面１ａは、静電潜像の作成やトナー現像処理などの電子写真方式の画像作成処理に適する感光面である。
【００３１】
軸体２は、感光ドラム１を支持して駆動回転させるためのものであり、従来技術で説明した電子写真装置の軸体と同様に、いわゆる片もち状に支持可能に設けられている。具体的には、この軸体２は、カバー体７をシャシ９のカバー体取付部９０に取付けたときにはこの軸体２の一端部２ａをカバー体７に保持されている軸受部材８０によって支持できるように構成されているが、この軸体２の他端部２ｂは電子写真装置Ａの固定部材９０に支持された軸受部材８１，８１によって強固に支持されている。このような構造により、軸体２は、カバー体７をカバー体取付部９０から取り外してその一端部２ａが軸受部材８０によって支持されていない自由端とした場合であっても、軸受部材８１，８１のみによって水平状に支持させておくことができるようになっている。軸体２の一端部２ａを自由端に設定した状態において、感光ドラム１を軸体２の軸長方向にスライド移動させれば、これによって感光ドラム１の軸体２からの抜き外しと軸体２への外嵌との脱着作業が可能となる。軸体２の他端部２ｂには歯車８２が取付けられており、軸体２は、感光ドラム駆動用のモータ（図示略）から歯車８２に駆動力が付与されることによって駆動回転を行うように構成されている。
【００３２】
図３は、軸体２の要部構造を示す拡大断面図である。図４ないし図６は、軸体２に感光ドラム１を脱着させる際の状態を示す要部断面図である。
【００３３】
図３において、軸体２の一端部２ａには、孔部２０、ストッパ２１、およびこのストッパ２１を動作させるためのストッパ用動作機構２２が設けられている。孔部２０は、軸体２の一端部２ａの端面に開口部２０ａを形成するように設けられている。この孔部２０は、図４ないし図６に示すように、感光ドラム１を軸体２から脱着させるときにこの感光ドラム１の移動ガイドを行うための案内棒８９の一端部を嵌入させて軸体２に連結するための部位である。この孔部２０の内周面の一部には、案内棒８９の一端部に形成されている雄ネジ部８９ａを螺合させるための雌ネジ部２０ｂが形成されており、案内棒８９を軸体２に螺合連結できるようになっている。
【００３４】
図３によく表れているように、ストッパ２１は、側面視略く字状の部材であり、孔部２０内に収容されているホルダ２３に軸２４を用いて回転可能に支持されている。このストッパ２１は、軸２４を中心に回転することによってその一端部２１ａが孔部２０の周壁部に形成されたスリット２５の内部から軸体２の外部へ出没するように設けられている。ホルダ２３は、その外周面の一部が雌ネジ部２０ｂに螺合するなどして、孔部２０内に固定されている。
【００３５】
ストッパ用動作機構２２は、孔部２０内にそれぞれ収容されたロッド状の往復動作体２２ａとバネ２２ｂとを具備して構成されている。往復動作体２２は、ホルダ２３によって軸体２の軸長方向にスライド移動可能に支持されている。この往復動作体２２ａは、ストッパ２１の他端部２１ｂに設けられた溝部２１ｃ内に位置して他端部２１ｂに係合したピン２２ｃを有している。このため、ストッパ用動作機構２２は、往復動作体２２ａが軸体２の軸長方向に往復動すると、これに伴ってストッパ２１を回転させる構造となっている。より具体的には、ストッパ用動作機構２２は、往復動作体２２ａが開口部２０ａに向かう矢印Ｎ１方向に前進しているとき（図３および図４に示す状態のとき）にはストッパ２１の姿勢をその一端部２１ａが軸体２の外部へ突出する姿勢とする。その一方、ストッパ用動作機構２２は、上記とは反対に、往復動作体２２ａが開口部２０ａから遠ざかる矢印Ｎ２方向に後退しているとき（図５および図６に示す状態のとき）にはストッパ２１の姿勢をその一端部２１ａがスリット２５内へ没入する姿勢とする。
【００３６】
また、ストッパ用動作機構２２は、図３に示す状態において、ストッパ２１の一端部２１ａが軸体２の軸長方向の押圧力Ｆを受けることによってはストッパ２１がスリット２５内へ没入しないように構成されている。より具体的には、ストッパ２１の溝部２１ｃは、図３によく表れているように、軸２４から鉛直線Ｌ１に対して所定の角度θで傾斜する斜め線Ｌ２に沿って延びた形状に形成されているとともに、その角度θが４５°よりも大きな角度とされている。このような構成にすれば、押圧力Ｆがストッパ２１の一端部２１ａに作用したときにピン２２ｃがストッパ２１の溝部２１ｃの内壁面を押圧する力Ｆ’を、その水平分力Ｆｎ’よりも垂直分力Ｆｔ’の方が大きなものにでき、押圧力Ｆによっては往復動作体２２ａが水平方向に移動しないようにできる。
【００３７】
バネ２２ｂは、往復動作体２２を上記矢印Ｎ１方向に前進させる方向の弾発付勢力Ｆ１を常時発揮するものである。具体的には、往復動作体２２ａの一端にはネジ体２２ｄを介してリング板２２ｅが取付けられており、このリング板２２ｅにバネ２２ｂの一端が当接して弾発付勢力Ｆ１が付与される構造となっている。
【００３８】
この電子写真装置Ａでは、感光ドラム１を軸体２に外嵌させて支持させている通常時には、図３および図４に示すように、往復動作体２２ａがバネ２２ｂの弾発付勢力Ｆ１によって矢印Ｎ１方向に前進しており、ストッパ２１が軸体２の一端部２ａの外周面周りの外部に突出している。このため、ストッパ２１を感光ドラム１の一側面に当接させることができ、感光ドラム１が軸体２の一端部２ａの方向に不用意に位置ずれすることを防止することができる。
【００３９】
感光ドラム１を軸体２から取り外す場合には、カバー体７をカバー体取付部９０から取外した後に、感光ドラム１を軸体２の一端部２ａの方向にスライドさせるが、ストッパ２１はそのまま感光ドラム１が軸体２から抜き外されてしまうことも阻止する。すなわち、ユーザが軸体２に案内棒８９を連結しないまま感光ドラム１を軸体２から抜き外そうとした場合には、感光ドラム１がストッパ２１に当接し、ストッパ２１が押圧力Ｆを受けることとなるが、既述したとおり、ストッパ２１はこの押圧力Ｆによってスリット２５内に没入することはない。したがって、感光ドラム１が軸体２の一端部２ａから無造作に抜き外されることがストッパ２１によって阻止される。
【００４０】
感光ドラム１を軸体２から適切に抜き外すには、図５に示すように、案内棒８９を軸体２の一端部２ａに連結する。この案内棒８９の連結は、案内棒８９の一端部を軸体２の孔部２０に嵌入して行うために、この案内棒８９の連結時には、往復動作体２２ａをこの案内棒８９によって押圧し、バネ２２ｂの弾発付勢力Ｆ１に抗して矢印Ｎ２方向に後退させることができ、これによりストッパ２１を軸体２のスリット２５内に没入させることができる。このようにすれば、ストッパ２１に感光ドラム１を接触させることなく、感光ドラム１を軸体２に沿ってスライドさせて軸体２から抜き外すことができる。むろん、感光ドラム１を抜き外すときには、図５の仮想線に示すように、この感光ドラム１を案内棒８９に外嵌させてゆくことができる。したがって、感光ドラム１がその半径方向に大きくふらつくようなことがなく、感光ドラム１の外周面１ａが現像器４やその他の周辺装置に接触する虞れを無くし、または少なくすることが可能となる。
【００４１】
ストッパ２１は、軸体２に案内棒８９が連結されておらず、往復動作体２２ａが案内棒８９によって押圧されていないときには常に軸体２の外部に突出している。したがって、案内棒８９を軸体２に連結していない状態において、感光ドラム１を軸体２に再度装着しようとしても、ストッパ２１が邪魔となってその感光ドラム１を軸体２に適切に外嵌装着することができない。したがって、この電子写真装置Ａでは、図６に示すように、感光ドラム１を軸体２に装着する場合においても、案内棒８９を軸体２に連結することによってストッパ２１を軸体２の内部に没入させた状態に設定する必要があり、案内棒８９に沿って感光ドラム１をガイドさせながら軸体２に外嵌させねばならない。その結果、この電子写真装置Ａでは、結局は、感光ドラムの脱着のいずれの作業時においてもユーザが案内棒８９を用いなければならないこととなり、案内棒８９を利用した感光ドラムの適正な交換作業が確保される。
【００４２】
図７は、カバー体７のセット状態を示す正面図である。図８は、カバー体７のリリース状態を示す正面図である。図９は、図７のＸ２−Ｘ２断面図である。図１０は、図７のＸ３−Ｘ３断面図である。図１１は、図７のＸ４−Ｘ４断面図である。図１２は、カバー体７をセット状態にした場合のカバー体の取付構造を示す要部断面図である。図１３は、カバー体７をリリース状態にした場合のカバー体の取付構造を示す要部断面図である。図１４は、カバー体７の取付開始時の状態を示す要部平面断面図である。図１５は、カバー体７の取付固定保持を完了した状態を示す要部平面断面図である。
【００４３】
図７において、カバー体７は、所定の正面視形状に形成されたプレート７０の略中央部に軸受部材８０を保持する円筒部７０ａを連設したものであり、プレート７０はたとえば薄肉金属板を打ち抜き加工するなどして形成されている。このカバー体７は、軸受部材８０によって軸体２の一端部２ａを回転可能に支持するのに加え、感光ドラム１の一側方をカバーする役割をも果たすものである。したがって、プレート７０は、感光ドラム１の一側面をカバー可能な形状およびサイズである。
【００４４】
カバー体７は、一対の孔部７６，７６、一対の爪７５，７５、操作レバー７２、この操作レバー７２に連結された可動板７２ａ、この可動板７２ａに連結された第１リンク機構７３Ａ、第２リンク機構７３Ｂ、第３リンク機構７３Ｃ、第４リンク機構７３Ｄ、押圧部材７４、第１係合用部材７１ａ、第２係合用部材７１ｂ、第３係合用部材７１ｃ、およびピン７７を具備している。
【００４５】
第１係合用部材７１ａは、カバー体７の上端部の裏面にネジ体を用いて取付けられており、図９によく表れているように、カバー体７の裏面側方に突出するその先端部７１ａ’は屈曲状に形成されている。この第１係合用部材７１ａは、クリーニング装置６との関係においてカバー体７の取外しを規制するのに利用されるものであり、この点については後述する。第２係合用部材７１ｂは、正面視円弧状のフランジ状の部材であり、図１０によく表れているように、カバー体７との間に１つの連続したまたは複数の区分に区画された隙間Ｓ１を形成するようにカバー体７の裏面にネジ体を用いて取付けられている。この第２係合用部材７１ｂは、現像器４や露光装置３との関係においてカバー体７の取外しを規制するのに利用されるものであり、この点についても後述する。第３係合用部材７１ｃは、図１１によく表れているように、カバー体７との間に隙間Ｓ２を形成するようにカバー体７の裏面にネジ体を用いて取付けられている。この第３係合用部材７１ｃは、記録紙搬送装置５との関係においてカバー体７の取外しを規制するのに利用されるものであり、この点についても後述する。ピン７７は、カバー体７の一側部の裏面に突出して設けられており、図２５ないし図２９において後述するように、露光装置３のリリース状態を保持するのに利用されるものである。
【００４６】
一対の孔部７６，７６のそれぞれは、プレート７０の厚み方向に貫通している。図１２および図１３に示すように、シャシ９のカバー体取付部９０に突設されている一対のピン９１，９１のそれぞれを孔部７６，７６に挿通させることが可能である。一対の爪７５，７５は、ピン９１，９１のそれぞれの外周面に設けられている凹部９１ａ，９１ａに出し入れさせてピン９１，９１に係脱させるための部材である。
【００４７】
図１２に示すように、各爪７５を各凹部９１ａ内に進入させて各ピン９１に係合させれば、カバー体７をカバー体取付部９０に固定保持させることができる。この状態がカバー体７のセット状態である。これに対し、図１３に示すように、各爪７５を各凹部９１ａから脱出させれば、カバー体７を矢印Ｎ３方向に取り外すことが可能となる。この状態がカバー体７のリリース状態である。
【００４８】
操作レバー７２は、カバー体７の表面に設けられており、図７に示すようにこの操作レバー７２が下向きとなる第１ポジションと図８に示すように横向きになる第２ポジションとに回動操作可能である。この操作レバー７２の操作によって可動板７２ａは回動する。第１リンク機構７３Ａと第２リンク機構７３Ｂとは、一対の爪７５，７５を操作レバー７２の動作に連動させるための機構であり、爪７５，７５と可動板７２ａとを互いに連結する複数のリンク７９ｂ〜７９ｅを具備している。これら第１リンク機構７３Ａと第２リンク機構７３Ｂとは、図７および図１２に示すように、操作レバー７２が第１ポジションに操作されたときにはカバー体７がセット状態となるように爪７５，７５を動作させるとともに、図８および図１３に示すように操作レバー７２が第２ポジションに操作されたときにはカバー体７がリリース状態となるように爪７５，７５を動作させるように構成されている。操作レバー７２、可動板７２ａ、第１リンク機構７３Ａ、第２リンク機構７３Ｂ、および爪７５，７５を具備して構成された一連の機構は、カバー体用着脱機構に相当する。
【００４９】
図１４によく表れているように、押圧部材７４は、一端に傾斜面７４ａを有する略円柱状の部材であり、カバー体７の裏面からその側方に突出するように設けられた筒状部７８ａ内にスライド可能に嵌入されている。筒状部７８ａ内には傾斜面７８ｃを有するカム７８ｂが収容されている。また、押圧部材７４は、バネ７８ｄの弾発付勢力Ｆ２によって常時カム７８ｂと接触する方向へ付勢されている。したがって、カム７８ｂが回転し、２つの傾斜面７８ｃ，７４ａどうしの接触位置が変化することによって、押圧部材７４は矢印Ｎ４方向に往復動自在である。すなわち、押圧部材７４は、カム７８ｂが図１４に示す位相に回転されるときには、弾発付勢力Ｆ２に抗して筒状部７８ａの外部へ突出するように前進する。この押圧部材７４の前進位置は、カバー体７がカバー体取付部９０への取付け位置に配置されているとともに、感光ドラム１が軸体２上の適正な位置に配置されている状態において、この押圧部材７４の先端が感光ドラム１の一側面１ｂに適度に接触する位置である。これに対し、押圧部材７４は、カム７８ｂが図１５に示す位相に回転されるときには、筒状部７８ａ内に没入するように後退する。
【００５０】
第３リンク機構７３Ｃは、カム７８ｂを上記操作レバー７２の動作に連動させて回転させるための機構であり、カム７８ｂと可動板７２ａとを互いに連結する複数のリンク７９ｆ，７９ｇを具備して構成されている。この第３リンク機構７３Ｃは、操作レバー７２が第２ポジションに操作されたときにはカム７８ｂを図１４に示す位相に回転させるとともに、操作レバー７２が第１ポジションに操作されたときにはカム７８ｂを図１５に示す位相に回転させるように動作するものである。操作レバー７２、可動板７２ａ、第３リンク機構７３Ｃ、カム７８ｂ、およびバネ７８ｄを具備して構成された一連の機構は、押圧部材用動作機構に相当する。
【００５１】
図７において、第４リンク機構７３Ｄは、カバー体７の外部に突出したリンク７９と、このリンク７９を可動板７２ａに繋ぐリンク７９ｈとを備えたものであり、操作レバー７２の回動操作に連動させてリンク７９を上下方向に揺動できるように構成されている。より具体的には、第４リンク機構７３Ｄは、図７に示すように操作レバー７２が第１ポジションに操作されたときにはリンク７９を矢印Ｎ５方向に下降させるとともに、図８に示すように操作レバー７２が第２ポジションに操作されたときにはリンク７９を矢印Ｎ６方向に上昇させるように構成されている。この第４リンク機構７３Ｄは、カバー体７との関連において現像器４や記録紙搬送装置５の移動規制を行うのに利用される機構であり、この点については後述する。
【００５２】
この電子写真装置Ａは、通常時には、図１２に示すように、カバー体７の各爪７５をカバー体取付部９０の各ピン９１に係合させたカバー体のセット状態に設定しておく。このようすれば、カバー体７の固定保持が図れ、軸受部材８０を用いての軸体２の一端部２ａの支持が適切に行える。さらには、感光ドラム１の一側面１ｂの側方を確実にカバーでき、感光ドラム１の保護も図れる。
【００５３】
一方、感光ドラム１を軸体２から抜き外すときには操作レバー７２を操作し、爪７５とピン９１との係合を解除したカバー体のリリース状態に設定してから、図１３の仮想線に示すように、カバー体７をカバー体取付部９０から取り外す。このようにすれば、先に説明したとおり、軸体２に案内棒８９を連結した状態での感光ドラム１の脱着作業が行える。ただし、この場合、軸体２に感光ドラム１（または上記感光ドラム１とは別の新たな感光ドラム）を再度外嵌するときには、ユーザの不注意などに原因し、この感光ドラム１が軸体２の他端部２ｂ寄りの位置へ充分に押し込まれない場合がある。ところが、この電子写真装置Ａでは、その後カバー体７をカバー体取付部９０に取り付けようとして、カバー体７をカバー体取付部９０に接触させれば、その時点ではカバー体７がリリース状態にあるために、図１４に示すように、押圧部材７４が感光ドラム１の一側面１ｂに接触する。このため、ユーザはカバー体７の取付けに際して感光ドラム１を押圧部材７４によって必然的に軸体２の他端部２ｂの方向に押圧することとなり、感光ドラム１を他端部２ｂ寄りの適正な位置へ配置させることが可能となる。
【００５４】
次いで、図１５に示すように、操作レバー７２を操作してカバー体をセット状態に設定し、カバー体７をカバー体取付部９０に固定保持させると、操作レバー７２の動作に連動して押圧部材７４は後退し、感光ドラム１の一側面１ｂとは接触しない状態となる。したがって、その後この電子写真装置Ａを稼働させて感光ドラム１を回転させるときに、押圧部材７４がその回転動作に支障を生じさせるといった不具合はない。
【００５５】
図１６は、電子写真装置Ａの現像器４の取付部周辺の構造を示す要部正面図である。図１７は、図１６のＸ５−Ｘ５断面図である。図１８は、現像器４のポジション変更を行った状態を示す要部正面図である。
【００５６】
図１６において、現像器４は、感光ドラム１の外周面１ａと対面するように感光ドラム１の下方に設けられている。この現像器４は、操作レバー４０の操作によってそのポジションが変更されることにより、そのセット状態とリリース状態との設定変更が行えるように設けられている。具体的には、現像器４は、その底部のプレート４０ａが一対のカム板４０ｂ，４０ｃによって支持される構造に設けられており、操作レバー４０を軸４０ｄを中心として回転させると、これに伴って一対のカム板４０ｂ，４０ｃが回転し、現像器４が一定ストロークだけ昇降できるように構成されている。カム板４０ｂは、軸４０ｄに相対回転不能に取付けられている。カム板４０ｃは、カム板４０ｂに連動して回転するように図示しないリンク機構などを介して上記カム板４０ｂに連結されている。現像器４は、昇降動作を行うことにより、図１６に示すように感光ドラム１の外周面１ａに接近または接触したセット状態と、図１８に示すように外周面１ａから離反したリリース状態とに設定変更可能である。現像器４は、上記セット状態に設定されたときに感光ドラム１の外周面１ａへのトナー供給が行えるように構成されたものである。
【００５７】
現像器４の下方には、スライドレール４１，４１が設けられている。これらのスライドレール４１，４１は、現像器４をこの電子写真装置Ａの筐体の外部へ出し入れするためのものであり、現像器４が上昇したセット状態にあるときにはこれらのスライドレール４１，４１の上方に現像器４が離れて位置し、現像器４がこれらのスライドレール４１，４１上に載置されない高さに設けられている。ただし、これらのスライドレール４１，４１は、現像器４が下降したリリース状態に設定されたときには、図１８に示すように、これらスライドレール４１，４１上に現像器４が直接または間接的に載置される高さに設定されている。スライドレール４１，４１に現像器４と係合するピン４１ａ，４１ａを設けておけば、現像器４をスライドレール４１，４１上に載置させたときにそれらが互いに位置ずれすることを防止することができる。
【００５８】
この電子写真装置Ａは、現像器４の上部に設けられた係合部４２、現像器４のポジション変更を規制するためポジション変更規制機構４３、および補助機構４４を具備している。
【００５９】
係合部４２は、現像器４の上方に突出した偏平な突起状である。この係合部４２は、カバー体取付部９０にカバー体７が取付けられている状態において、現像器４が上昇したセット状態にあるときには、図１０において既に説明したカバー体７の隙間Ｓ１内にその下方から進入し、カバー体７と係合するように設けられたものである（図１７参照）。ただし、この係合部４２は、図１８に示すように、現像器４が下降したリリース状態にあるときには、カバー体７との係合状態が解除されるように上記隙間Ｓ１の外部へ離脱するようになっている。
【００６０】
補助機構４４は、上記ポジション変更規制機構４３の動作を補助するための機構であるが、後述するように、記録紙搬送装置５のポジション変更規制を行うのにも利用される。この補助機構４４は、シャシに固定して取付けられたホルダ４４ａ、このホルダ４４ａに昇降可能に保持された昇降体４４ｂ、およびこの昇降体４４ｂを常時上昇させる方向の弾発付勢力を発揮するバネ４４ｃを具備して構成されている。昇降体４４ｂの下部にはアタッチメント４４ｄを介してワイヤＷの一端が連結されている。また、昇降体４４ｂの上部は、カバー体７の第４リンク機構７３Ｄのリンク７９に突設されたピン７９ａと係合している。このため、昇降体４４ｂはリンク７９の揺動動作に連動して昇降し、この昇降動作によってワイヤＷの牽引と繰り出しとが行われるようになっている。より具体的には、図１６に示すように、カバー体７がセット状態のときにはリンク７９および昇降体４４ｂは下降しており、ワイヤＷは下方へ繰り出された状態となる。これに対し、図１８に示すように、カバー体７がリリース状態のときにはリンク７９および昇降体４４ｂは上昇しており、ワイヤＷは上方へ牽引された状態となる。
【００６１】
図１９は、上記ポジション変更規制機構４３を示す要部正面図である。図２０および図２１のそれぞれは、上記ポジション変更規制機構４３の動作状態を示す要部正面図である。
【００６２】
図１９において、このポジション変更規制機構４３は、操作レバー４０をロックするための機構であり、第１のラッチ部材４３Ａ、第２のラッチ部材４３Ｂ、スライダ４３Ｃ、および複数のバネ４５ａ〜４５ｃを具備して構成されている。
【００６３】
第１のラッチ部材４３Ａは、固定軸４５ｄを中心として回転可能に設けられており、操作レバー４０の側面に突設されているピン４０ｅを係入させるための凹部４３ａを有している。バネ４５ａは、上記第１のラッチ部材４３Ａが矢印Ｎ７方向へ回転されたときにこの第１のラッチ部材４３Ａを元の一定の姿勢に復帰させるための弾発力を発揮するとともに、第１のラッチ部材４３Ａが上記矢印Ｎ７方向とは逆方向へ一定角度以上回転しないように規制する役割を果たすものである。このポジション変更規制機構４３では、図１９に示すように、現像器４をセット状態とするように操作レバー４０を図面左方に倒したときに、この操作レバー４０によって第１のラッチ部材４３Ａの上部をその上方から押圧すると、矢印Ｎ７方向に僅かに回転することによって凹部４３ａにピン４０ｅが係入し、これによって操作レバー４０を第１のラッチ部材４３Ａによってラッチできるようになっている。むろん、図２０に示すように、第１のラッチ部材４３Ａを適当な力Ｆ３で押圧して上記矢印Ｎ７方向へ回転させれば、ピン４０ｅを凹部４３ａから離脱させて操作レバー４０のラッチ状態を解除できるようになっている。
【００６４】
第２のラッチ部材４３Ｂは、固定軸４５ｅを中心として回転可能に設けられており、ピン４０ｅを係入させるための凹部４３ｂを有している。バネ４５ｂは、第２のラッチ部材４３Ｂを矢印Ｎ８方向へ回転させる弾発付勢力を常時発揮するものである。
【００６５】
スライダ４３Ｃは、水平方向に移動可能に設けられており、その前端部にはワイヤＷの他端が連結され、またその後端部にはバネ４５ｃの一端が連結されている。バネ４５ｃは、スライダ４３Ｃを矢印Ｎ９方向の後方に移動させる弾発付勢力を発揮するものである。したがって、スライダ４３Ｃは、補助機構４４によってワイヤＷの牽引および繰り出し動作がなされることによって前後方向に移動する。
【００６６】
スライダ４３Ｃは、第２のラッチ部材４３Ｂの矢印Ｎ８方向への回転動作を規制するための規制部４３ｃを具備している。この規制部４３ｃは、上方に起立した突起状に形成されており、この規制部４３ｃの上部後面部分が、第２のラッチ部材４３Ｂの上部後面部分に設けられている当接部４３ｄの前方に位置してこの当接部４３ｄの前面部分に当接するように設けられている。このため、第２のラッチ部材４３Ｂはバネ４５ｂによって矢印Ｎ８方向へ回転する力を常時受けてはいるものの、規制部４３ｃによってその回転動作を阻止できるようになっている。
【００６７】
より具体的には、規制部４３ｃは、図１９および図２０に示すように、ワイヤＷが補助機構４４から繰り出されてスライダ４３Ｃが後退しているときには、第２のラッチ部材４３Ｂを操作レバー４０のピン４０ｅと干渉させない角度姿勢に規制するように設けられている。このような第２のラッチ部材４３Ｂの角度姿勢のときには、この第２のラッチ部材４３Ｂによって操作レバー４０をラッチさせることはできない。その一方、規制部４３ｃは、図２１に示すように、ワイヤＷが補助機構４４によって牽引されてスライダ４３Ｃが前進したときには、第２のラッチ部材４３Ｂの矢印Ｎ８方向の回転動作を許容するように設定されている。第２のラッチ部材４３Ｂが上記矢印Ｎ８方向に回転すれば、操作レバー４０のピン４０ｅを凹部４３ｂに係入させることでき、操作レバー４０を上記第２のラッチ部材４３Ｂによってラッチすることが可能となる。
【００６８】
この電子写真装置Ａでは、まず図１６に示すように、カバー体７がセット状態とされてカバー体取付部９０に固定保持されているとともに、現像器４がセット状態に設定されている通常状態においては、カバー体７に現像器４の係合部４２が係合している。このため、ユーザがカバー体７を取り外そうとして、仮にカバー体７をリリース状態に設定しても、カバー体７の移動が係合部４２によって妨げられ、カバー体７をカバー体取付部９０から取り外すことができない。一方、カバー体７をカバー体取付部９０から取り外さなければ、感光ドラム１を軸体２から抜き外すことができない。したがって、現像器４がセット状態に設定されたまま感光ドラム１が抜き外されてしまう虞れを無くすことができる。
【００６９】
また、カバー体７をセット状態にしているときには、ワイヤＷが補助機構４４からポジション変更規制機構４３に向けて繰り出された状態にあり、第２のラッチ部材４３Ｂは操作レバー７２のラッチが不可能な角度姿勢にある。したがって、この場合には、図２０に示すように、第１のラッチ部材４３Ａを押圧回転させてこの第１のラッチ部材４３Ａによる操作レバー４０のラッチ状態を解除すると、この操作レバー４０を自在に回動操作することが可能となり、現像器４をセット状態とリリース状態とのいずれの状態にも設定することができる。したがって、現像器４のポジション変更に不便を生じるようなことはない。
【００７０】
次いで、感光ドラム１を交換するときには、図１８に示すように、現像器４をリリース状態に設定した後にカバー体７をリリース状態に設定し、カバー体７をカバー体取付部９０から取り外す作業を行う。現像器４を下降させてリリース状態に設定すれば、係合部４２とカバー体７との係合状態が解除されるために、カバー体７の取外し作業を適切に行うことができる。また、カバー体７がリリース状態に設定されたときには、ワイヤＷが補助機構４４に牽引されることとなって、図２１に示すように、現像器４をリリース状態にする位置に回転操作されている操作レバー４０が第２のラッチ部材４３Ｂによってラッチされることとなる。したがって、ユーザが操作レバー４０を回転操作して現像器４をセット状態に復帰させることが困難となり、現像器４をリリース状態に設定保持させたまま、感光ドラム１の交換が行えることとなる。その結果、現像器４と感光ドラム１との不当な接触を一層確実に防止できることとなる。むろん、感光ドラム１の交換作業が終了してカバー体取付部９０に再度取付けられたカバー体７がセット状態に再設定されれば、第２のラッチ部材４３Ｂによる操作レバー４０のラッチ状態が解除され、この操作レバー４０を操作しての現像器４のポジション変更が自在に行えることとなる。
【００７１】
電子写真装置Ａでは、感光ドラム１のみらず、現像器４についてもその交換のため、あるいはメンテナンスのためにこの電子写真装置Ａの筐体の外部に引き出さなければならない場合がある。このような場合、現像器４を下降させたリリース状態に設定しなければこの現像器４をスライドレール４１，４１上に載置させて外部に引き出すことはできず、現像器４をセット状態のまま筐体の外部に引き出すことはできない。したがって、現像器４の交換時などにおいて、この現像器４が感光ドラム１の外周面１ａを傷つけてしまう虞れも適切に解消することが可能となる。
【００７２】
図２２は、電子写真装置Ａの記録紙搬送装置５の取付部周辺の構造を示す要部正面図である。図２３は、図２２のＸ６−Ｘ６断面図である。図２４は、記録紙搬送装置５のポジション変更を行った状態を示す要部正面図である。
【００７３】
図２２において、記録紙搬送装置５は、感光ドラム１の外周面１ａと対面するように感光ドラム１の一側方に設けられている。この記録紙搬送装置５は、シャシに固定された軸体５０を中心として回転可能であり、この回転動作によるポジション変更によって、この記録紙搬送装置５の一側面部が感光ドラム１の外周面１ａに接近したセット状態と、図２４に示すように上記一側面部が外周面１ａから離れたリリース状態とに設定変更できるようになっている。この記録紙搬送装置５は、セット状態に設定されたときに所定の記録紙（図示略）を感光ドラム１の外周面１ａに接触させるようにその記録紙の移送ガイドが可能に構成されたものである。
【００７４】
この電子写真装置Ａは、記録紙搬送装置５の一側面部に設けられた係合部５２と、ポジション変更規制機構５３とを具備している。
【００７５】
係合部５２は、記録紙搬送装置５の一側面部から突出した偏平な突起状である。この係合部５２は、カバー体取付部９０にカバー体７が取付けられている状態において、記録紙搬送装置５がセット状態にあるときには、図１１において既に説明したカバー体７の隙間Ｓ２に嵌入し、カバー体７と係合するように設けられたものである（図２３参照）。ただし、この係合部５２は、図２４に示すように、記録紙搬送装置５がリリース状態とされたときには、隙間Ｓ２から離脱し、カバー体７との係合状態が解除されるようになっている。
【００７６】
ポジション変更規制機構５３は、軸体５０に固定して取付けられたラチェットギヤ５３ａと、シャシに取付けられたホルダ５３ｂの固定軸５３ｃに回転可能に支持されたラチェット爪５３ｄとを具備して構成されている。このラチェット爪５３ｄは、その先端部がラチェットギヤ５３ａに接近させる方向に回転させる弾発力をバネ５３ｅから常時受けているが、このラチェット爪５３ｄの回転動作は補助機構４４のアタッチメント４４ｄによって規制されるように設けられている。すなわち、ラチェット爪５３ｄの後端部はアタッチメント４４ｄと対向する位置に配置されており、図２２に示すように、アタッチメント４４ｄが下降しているときには、このアタッチメント４４ｄによってラチェット爪５３ｄの後端部が押圧され、このラチェット爪５３ｄの先端がラチェットギヤ５３ａとは噛み合わない位置に存在するように構成されている。一方、図２４に示すように、アタッチメント４４ｄが上昇しているときには、ラチェット爪５３ｄがバネ５３ｅの弾発力によって回転し、記録紙搬送装置５の回転動作を規制するようにラチェットギヤ５３ａと噛み合うように構成されている。
【００７７】
この電子写真装置Ａでは、まず図２２に示すように、カバー体７がセット状態とされてカバー体取付部９０に固定保持されているとともに、記録紙搬送装置５がセット状態に設定されている通常状態においては、カバー体７に記録紙搬送装置５の係合部５２が係合しており、この係合部５２が上記カバー体７の移動を規制している。このため、ユーザがカバー体７を取り外そうとしてこのカバー体７をリリース状態に設定しても、カバー体７をカバー体取付部９０から取り外すことはできない。したがって、記録紙搬送装置５がセット状態に設定されたままカバー体７が取り外されて感光ドラム１が抜き外されてしまう虞れを無くし、感光ドラム１の外周面１ａが記録紙搬送装置５に接触することによってこの部分に損傷を受けることを防止できる。
【００７８】
また、カバー体７をセット状態にしているときには、補助機構４４のアタッチメント４４ｄが下降してラチェット爪５３ｄがラチェットギヤ５３ａとは噛み合わない位置へ退避した状態にある。したがって、この場合には、固定軸５０を中心として記録紙搬送装置５を回動させることによって、記録紙搬送装置５をセット状態とリリース状態とに自在に切換え設定するとこができる。
【００７９】
次いで、感光ドラム１を交換するときには、図２４に示すように、記録紙搬送装置５をリリース状態に設定した後にカバー体７をリリース状態に設定し、カバー体７をカバー体取付部９０から取り外す作業を行う。記録紙搬送装置５をリリース状態に設定すれば、係合部５２とカバー体７との係合状態が解除されるために、カバー体７の取外し作業を適切に行うことができる。また、カバー体７がリリース状態に設定されたときには、補助機構４４のアタッチメント４４ｄが上昇し、ラチェットギヤ５３ａがラチェット爪５３ｄに噛み合うために、記録紙搬送装置５はもはやセット状態の位置に回転させることができなくなる。したがって、ユーザが感光ドラム１の交換作業を行うときには、記録紙搬送装置５がリリース状態に保持されたままとなり、記録紙搬送装置５と感光ドラム１とが不当に接触することを一層確実に防止できることとなる。むろん、感光ドラム１の交換作業が終了してカバー体取付部９０に再度取付けられたカバー体７がセット状態に設定されれば、ラチェットギヤ５３ａに対するラチェット爪５３ｄの噛み合い状態が解消され、記録紙搬送装置５を元のセット状態に復帰させることができる。
【００８０】
図２５は、電子写真装置Ａの露光装置３の取付部周辺の構造を示す要部正面図である。図２６は、図２５のＸ７−Ｘ７断面図である。図２７は、図２５のＸ８−Ｘ８断面図である。図２８は、露光装置３のポジション変更を行った状態を示す要部正面図である。図２９は、図２８の要部平面断面図である。
【００８１】
図２５において、露光装置３は、感光ドラム１の外周面１ａと対面するように感光ドラム１の一側方に設けられている。この露光装置３は、シャシに固定された軸体３１に回動可能に設けられており、その側面部に取付けられている操作レバー３０を操作してこの露光装置３のポジション変更を行わせることにより、この露光装置３の一側面部が感光ドラム１の外周面１ａに接近したセット状態と、図２８に示すようにこの露光装置３の一側面部が外周面１ａから離れたリリース状態とに設定変更できるようになっている。この露光装置３には、この露光装置３を感光ドラム１の外周面１ａに接近させる方向に弾発付勢するバネ３４が設けられているとともに、この露光装置３の姿勢を安定させる役割を果たすカム３５なども設けられている。この露光装置３は、セット状態に設定されているときに上記感光ドラム１の外周面１ａへの露光処理が行えるように構成されたものである。
【００８２】
この電子写真装置Ａは、露光装置３の一側面部に設けられた係合部３２と、ポジション変更規制機構３３とを具備している。
【００８３】
係合部３２は、露光装置３の一側面部から突出した偏平な突起状である。この係合部３２は、カバー体取付部９０にカバー体７が取付けられている状態において、露光装置３がセットポジションにあるときには、図１０において既に説明したカバー体７の隙間Ｓ２に嵌入し、カバー体７と係合するように設けられたものである（図２７参照）。ただし、この係合部３２は、図２８に示すように、露光装置３が感光ドラム１から離反したリリース状態に設定されたときには、隙間Ｓ２から離脱し、カバー体７との係合状態が解除されるようになっている。
【００８４】
ポジション変更規制機構３３は、図２６によく表れているように、シャシ９に取付けられたホルダ３３ａの固定軸３３ｂに回転可能に支持されたストッパ３３ｃと、このストッパ３３ｃを矢印Ｎ１０の回転方向へ常時付勢する弾発力を発揮するバネ３３ｄとを具備して構成されている。ストッパ３３ｃは、カバー体７がカバー体取付部９０に取付けられたときにこのカバー体７のピン７７と当接する位置に設けられており、ピン７７との当接によって上記矢印Ｎ１０方向とは反対方向に押圧され回転するようになっている。ストッパ３３ｃは、ピン７７によって押圧されているときには、露光装置３の側部に設けられている突起部３６とは非接触の位置に存在し、このストッパ３３ｃが露光装置３の回転動作の妨げにならないようになっている。これに対し、ストッパ３３ｃは、図２９に示すように、ピン７７によって押圧されていないときには、バネ３３ｄの弾発力によって矢印Ｎ１０方向に回転し、このストッパ３３ｃの後端部が露光装置３の突起部３６と当接して露光装置３の回転動作を阻止可能な位置へ変位するようになっている。
【００８５】
この電子写真装置Ａでは、まず図２５に示すように、カバー体７がカバー体取付部９０に取付けられているとともに、露光装置３がセット状態に設定されている通常状態においては、カバー体７に露光装置３の係合部３２が係合しており、この係合部３２がカバー体７の移動を規制している。このため、ユーザがカバー体７を取り外そうとしてこのカバー体７をリリース状態に設定しても、カバー体７を感光ドラム１の一側方から取り去ることはできない。したがって、露光装置３が感光ドラム１に接近したセット状態に設定されたままカバー体７が取り去られて感光ドラム１が軸体２から抜き外されてしまう虞れを無くすことができる。その結果、感光ドラム１の外周面１ａと露光装置３との接触に原因して、これらの部分が損傷することを適切に防止することができる。
【００８６】
また、カバー体７をカバー体取付部９０に取付けているときには、カバー体７のピン７７によってストッパ３３ｃが押圧され、このストッパ３３ｃが露光装置３の回動動作を妨げないようになっている。したがって、カバー体７がセット状態かリリース状態であるかには関係なく、カバー体７が感光ドラム１の一側方に配置されてピン７７がストッパ３３ｃを押圧していれば、露光装置３のポジション変更を行わせて、セット状態とリリース状態とのいずれにも切換え設定することができる。
【００８７】
感光ドラム１を交換するには、図２８に示すように、露光装置３をリリース状態に設定した後に、カバー体７をカバー体取付部９０から取り外す。露光装置３をリリース状態に設定すれば、係合部３２とカバー体７との係合状態が解除されるために、カバー体７の取外し作業を適切に行うことができる。また、カバー体７が取り外されたときには、図２９に示すように、ストッパ３３ｃが露光装置３の突起部３６と当接可能な位置に変位する。このため、リリース状態に設定されている露光装置３を感光ドラム１に接近させる方向へ回転させようとしても、その回転動作は上記ストッパ３３ｃと突起部３６との当接作用によって阻止されることとなる。したがって、ユーザが感光ドラム１の交換作業を行うときには、露光装置３がリリース状態に設定されたままとなり、その交換作業時に露光装置３と感光ドラム１とが不当に接触することを一層確実に防止できることとなる。感光ドラム１の交換作業が終了した後にカバー体取付部９０にカバー体７を再度取付けると、上記ストッパ３３ｃと突起部３６との当接状態を解消することができ、露光装置３を元のセットポジションに復帰させることができる。
【００８８】
図３０は、電子写真装置Ａのクリーニング装置６の取付部周辺の構造を示す要部正面図である。図３１は、図３０の平面断面図である。図３２は、クリーニング装置６のポジション変更を行った状態を示す要部正面図である。図３３は、図３２の平面断面図である。
【００８９】
図３０において、クリーニング装置６は、感光ドラム１の外周面１ａの上方に配置されており、外周面１ａに接触させるためのクリーニングブレード６１を具備している。このクリーニングブレード６１は、操作レバー６０の操作によって揺動動作を行うように構成されている。具体的には、クリーニングブレード６１は、固定軸６４ａを中心として回転可能に設けられた正面視略Ｌ字状のブラケット６４ｂに取付けられており、このブラケット６４ｂにはピン状またはローラ状のカムフォロア６４ｃを有する補助部材６４ｄが連結されている。この補助部材６４ｄにはバネ６４ｅが連結されており、補助部材６４ｄやブラケット６４ｂは、クリーニングブレード６１が感光ドラム１の外周面１ａに接近する方向へ回転するように常時弾発付勢されている。一方、操作レバー６０の回転操作に伴って回転する軸体６０ａには扇形状のカム板６０ｂが設けられており、このカム板６０ｂのカム面としての外周面に上記カムフォロア６４ｃが接触している。したがって、操作レバー６０を回転操作すれば、カム板６０ｂとカムフォロア６４ｃとの当接作用によって、補助部材６４ｄやブラケット６４ｂを回動させることができ、クリーニングブレード６１を感光ドラム１の外周面１ａに接触する位置と離反する位置とにポジション変更可能である。このクリーニング装置６では、クリーニングブレード６１を感光ドラム１の外周面１ａに接触する位置と離反する位置とにポジション変更可能である。このクリーニング装置６では、クリーニングブレード６１を感光ドラム１の外周面１ａに接触させた状態がセット状態であり、またクリーニング装置６を上記外周面１ａから離反させた状態がリリース状態である。クリーニング装置６は、セット状態に設定されたときに感光ドラム１の外周面１ａに残存付着しているトナーを除去し、外周面１ａのクリーニング処理を行うことが可能である。
【００９０】
この電子写真装置Ａは、クリーニングブレード６１のポジション変更を規制するポジション変更規制機構６３を具備している。このポジション変更規制機構６３は、可動部材６２、ホルダ６５、および係合用部材６６を具備して構成されている。
【００９１】
ホルダ６５は、図３１によく表れているように、平面断面視形状が略コ字状の部材であり、シャシ９の裏面にネジ体６５ｃによって固定して取付けられている。可動部材６２は、一定方向に延びる略平板状である。この可動部材６２は、その長手方向一端部６２ａがホルダ６５の２つの孔部６５ａ，６５ｂにスライド可能に挿通するなどして、水平方向へ往復動可能に支持されている。この可動部材６２の長手方向他端部６２ｂには、上下方向に細長な長孔６２ｃが設けられており、カム板６０ｂに突設されたピン６０ｃがその長孔６２ｃに嵌入している。このため、可動部材６２は、操作レバー６０が操作されてピン６０ｃが円弧軌道を描いて移動すると、それに伴って水平方向にスライド移動できるようになっている。より具体的には、操作レバー６０を第１ポジションに操作したときには、図３０および図３１に示すように、可動部材６２は矢印Ｎ１１に示す図面左方寄りの位置へ移動する。これに対し、操作レバー６０をリリースポジションに操作したときには、図３２および図３３に示すように、可動部材６２は矢印Ｎ１２に示す図面右方寄りの位置へ移動する。
【００９２】
可動部材６２の長手方向一端部６２ａおよびその近傍部分には、第１の孔部６２ｄと第２の孔部６２ｅとが設けられている。第１の孔部６２ｄは、後述するように、係合用部材６６に設けられた係止用凸部６６ａを係入させるための孔部である。第２の孔部６２ｅは、図９において先に説明したカバー体７の第１係合用部材７１ａの先端部７１ａ’を挿通させるための部位である。すなわち、シャシ９にはたとえば孔部９２が設けられており、カバー体７をカバー体取付部９０に取付けたときには第１係合用部材７１ａの先端部７１ａ’が孔部９２を挿通することによってシャシ９の裏面よりもさらにその奥へ突出するように構成されているが、第２の孔部６２ｅは上記先端部７１ａ’がさらに可動部材６２をも貫通するように先端部７１ａ’を挿通させるためのものである。
【００９３】
ただし、この第２の孔部６２ｅは、図３１に示すように、可動部材６２が矢印Ｎ１１方向寄りに位置しているときには、この第２の孔部６２ｅに挿通している第１係合用部材７１ａを矢印Ｎ１３方向に引き抜こうとしても、その先端部７１ａ’が可動部材６２に引っ掛かってしまい、この第２の孔部６２ｅから上記第１係合用部材７１ａを抜き外すことが阻止されるように設けられている。その一方、第２の孔部６２ｅは、図３３に示すように、可動部材６２が矢印Ｎ１２方向寄りに位置しているときには、この第２の孔部６２ｅに第１係合用部材７１ａを自由に挿脱できるようになっている。むろん、ホルダ６５は、シャシ９の孔部９２を塞がないように設けられている。
【００９４】
係合用部材６６は、可動部材６２の往復方向と略直交する方向に移動できるようにホルダ６５に保持されている。この係合用部材６６は、図３３に示すように、矢印Ｎ１４方向へ前進するようにバネ６５ｂによって常時付勢されており、その前進時には矢印Ｎ１２方向に移動している可動部材６２に干渉し、この係合用部材６６の係止用凸部６６ａが可動部材６２の第１の孔部６２ｄに係入するように構成されている。一方、上記係合用部材６６は、図３１に示すように、カバー体７の第１係合用部材７１ａによって矢印Ｎ１５方向に押圧されたときには、その係止用凸部６６ａがもはや可動部材６２とは干渉しない位置まで後退するように構成されている。
【００９５】
この電子写真装置Ａでは、まず図３０および図３１に示すように、カバー体７がカバー体取付部９０に取付けられているとともに、クリーニング装置６がセット状態に設定されている通常状態においては、カバー体７をカバー体取付部９０から取り去ろうとしても、第１係合用部材７１ａの先端部７１ａ’が可動部材６２に引っ掛かってしまい、カバー体７を取り去ることはできない。したがって、クリーニングブレード６１が感光ドラム１の外周面１ａに接触したセット状態のままカバー体７が取り外されて感光ドラム１が軸体２から抜き外されてしまう虞れを無くすことができる。その結果、感光ドラム１とクリーニングブレード６１との保護が図れることとなる。
【００９６】
また、カバー体７をカバー体取付部９０に取付けているときには、係合用部材６６が第１係合用部材７１ａによって押圧されることによって可動部材６２に干渉しない位置まで後退しており、可動部材６２の往復動作が可能である。したがって、この可動部材６２を往復動作させる操作レバー６０の回転操作が自由に行え、クリーニング装置６をセット状態とリリース状態とに適切に切換えることができる。
【００９７】
感光ドラム１を交換するには、クリーニング装置６をリリース状態に設定する必要があり、またその後はカバー体７をカバー体取付部９０から取り外さなければならない。クリーニング装置６をリリース状態に設定すれば、図３３に示すように、可動部材６２が矢印Ｎ１２方向に移動し、カバー体７の第１係合用部材７１ａを第２の孔部６２ｅから抜き外すことが可能となる。したがって、カバー体７の取外し作業を適切に行うことができる。また、カバー体７が取り外されると、第１係合用部材７１ａによる係合用部材６６の押圧状態が解消されるために、この係合用部材６６が前進してその係止用凸部６６ａが第１の孔部６２ｄに係入する結果、可動部材６２は水平方向に移動できなくなる。すると、この可動部材６２と機械的に連結されている操作レバー６０を回転操作することが困難となり、クリーニング装置６はリリース状態に設定されたままとなる。したがって、感光ドラム１の交換時における感光ドラム１とクリーニング装置６との不当な接触を防止し、これらの保護をより確実に図ることができる。感光ドラム１の交換作業が終了してカバー体取付部９０にカバー体７を再度取付けると、係合用部材６６が第１係合用部材７１ａによって押圧されて可動部材６２の移動規制が解除されるため、その後は操作レバー６０を回転操作させてクリーニング装置６を元のセット状態に適正に復帰させることができる。
【００９８】
むろん、本願発明に係る電子写真装置の各部の具体的な構成は、上記実施形態の内容に限定されず、種々に設計変更自在である。
【００９９】
上記実施形態では、帯電器８についてはセット状態とリリース状態とに変更するための手段を設けていない。その理由は、帯電器はさほど感光ドラムの外周面に接近させる必要がなく、この帯電器８を移動させなくても感光ドラムの脱着時にこの帯電器が感光ドラムを損傷させる虞れが少ないからである。ただし、本願発明では帯電器についても、本願発明が意図するように動作させてもよい。また、上述した装置以外の装置を感光ドラムの周囲に設ける場合には、むろん、その装置について本願発明を適用することが可能である。
【０１００】
【発明の効果】
以上説明したように、本願発明によれば、感光ドラムの交換作業時などにおいて、感光ドラムをその周辺装置に不当に接触させるようなことなく、適切にその脱着作業を行うことができる。したがって、感光ドラムや周辺装置の損傷を防止することができ、甚だ便利である。
【図面の簡単な説明】
【図１】本願発明に係る電子写真装置の一例を示す概略正面図である。
【図２】図１のＸ１−Ｘ１断面図である。
【図３】軸体の要部構造を示す拡大断面図である。
【図４】軸体に感光ドラムを脱着させる状態を示す要部断面図である。
【図５】軸体に感光ドラムを脱着させる状態を示す要部断面図である。
【図６】軸体に感光ドラムを脱着させる状態を示す要部断面図である。
【図７】カバー体のセット状態を示す正面図である。
【図８】カバー体のリリース状態を示す正面図である。
【図９】図７のＸ２−Ｘ２断面図である。
【図１０】図７のＸ３−Ｘ３断面図である。
【図１１】図７のＸ４−Ｘ４断面図である。
【図１２】カバー体をセット状態にした場合のカバー体の取付構造を示す要部断面図である。
【図１３】カバー体をリリース状態にした場合のカバー体の取付構造を示す要部断面図である。
【図１４】カバー体の取付開始時の状態を示す要部平面断面図である。
【図１５】カバー体の取付固定保持を完了した状態を示す要部平面断面図である。
【図１６】電子写真装置の現像器の取付部周辺の構造を示す要部正面図である。
【図１７】図１６のＸ５−Ｘ５断面図である。
【図１８】現像器のポジション変更を行った状態を示す要部正面図である。
【図１９】ポジション変更規制機構を示す要部正面図である。
【図２０】ポジション変更規制機構の動作状態を示す要部正面図である。
【図２１】ポジション変更規制機構の動作状態を示す要部正面図である。
【図２２】電子写真装置の記録紙搬送装置の取付部周辺の構造を示す要部正面図である。
【図２３】図２２のＸ６−Ｘ６断面図である。
【図２４】記録紙搬送装置のポジション変更を行った状態を示す要部正面図である。
【図２５】電子写真装置の露光装置の取付部周辺の構造を示す要部正面図である。
【図２６】図２５のＸ７−Ｘ７断面図である。
【図２７】図２５のＸ８−Ｘ８断面図である。
【図２８】露光装置のポジション変更を行った状態を示す要部正面図である。
【図２９】図２８の要部平面断面図である。
【図３０】電子写真装置のクリーニング装置の取付部周辺の構造を示す要部正面図である。
【図３１】図３０の平面断面図である。
【図３２】クリーニング装置のポジション変更を行った状態を示す要部正面図である。
【図３３】図３２の平面断面図である。
【図３４】従来の電子写真装置の概略構成を示す説明図である。
【図３５】従来の電子写真装置の感光ドラムの取付構造を示す断面図である。
【図３６】従来の電子写真装置の感光ドラムを脱着させる状態を示す断面図である。
【図３７】従来の電子写真装置の感光ドラムを脱着させる状態を示す断面図である。
【符号の説明】
Ａ  電子写真装置
１  感光ドラム
１ａ  外周面（感光ドラムの）
１ｂ  一側面（感光ドラムの）
２  軸体
２ａ  一端部（軸体の）
２ｂ  他端部（軸体の）
３  露光装置
４  現像器
５  記録紙搬送装置
６  クリーニング装置
７  カバー体
８  帯電器
９  シャシ
２０  孔部
２０ａ  開口部
２１  ストッパ
２２  ストッパ用動作機構
２２ａ  往復動作体
２２ｂ  バネ
２５  スリット
３０  操作レバー
３２  係合部
３３  ポジション変更規制機構
３３ｃ  ストッパ
４０  操作レバー
４１  スライドレール
４２  係合部
４３  ポジション変更規制機構
４４  補助機構
５２  係合部
５３  ポジション変更規制機構
６０  操作レバー
６１  クリーニングブレード
６２  可動部材
６３  ポジション変更規制機構
７２  操作レバー
７２ａ  可動板
７３Ａ  第１リンク機構
７３Ｂ  第２リンク機構
７３Ｃ  第３リンク機構
７３Ｄ  第４リンク機構
７４  押圧部材
７５  爪
７８ｂ  カム
７８ｄ  バネ
８９  案内棒
【図１】
0003615210.tif 000002
【図２】
0003615210.tif 000003
【図３】
0003615210.tif 000004
【図４】
0003615210.tif 000005
【図５】
0003615210.tif 000006
【図６】
0003615210.tif 000007
【図７】
0003615210.tif 000008
【図８】
0003615210.tif 000009
【図９】
0003615210.tif 000010
【図１０】
0003615210.tif 000011
【図１１】
0003615210.tif 000012
【図１２】
0003615210.tif 000013
【図１３】
0003615210.tif 000014
【図１４】
0003615210.tif 000015
【図１５】
0003615210.tif 000016
【図１６】
0003615210.tif 000017
【図１７】
0003615210.tif 000018
【図１８】
0003615210.tif 000019
【図１９】
0003615210.tif 000020
【図２０】
0003615210.tif 000021
【図２１】
0003615210.tif 000022
【図２２】
0003615210.tif 000023
【図２３】
0003615210.tif 000024
【図２４】
0003615210.tif 000025
【図２５】
0003615210.tif 000026
【図２６】
0003615210.tif 000027
【図２７】
0003615210.tif 000028
【図２８】
0003615210.tif 000029
【図２９】
0003615210.tif 000030
【図３０】
0003615210.tif 000031
【図３１】
0003615210.tif 000032
【図３２】
0003615210.tif 000033
【図３３】
0003615210.tif 000034
【図３４】
0003615210.tif 000035
【図３５】
0003615210.tif 000036
【図３６】
0003615210.tif 000037
【図３７】
0003615210.tif 000038